(57)【要約】【課題】鉢植えの花や立体的な造形物を載せて飾ることができる等、多くの人に親しまれているガーデニングを楽しむための機能性を有する門柱、門袖、塀等の屋外用構築物の施工方法を提供する。【解決手段】合成樹脂製の発泡材料で構成部材(11,12,13)を作成し、これを接合して基部材(1)を形成し、基部材(1)に差込口(10)を貫通して設け、差込口(10)に棚部材(3)を両側が基部材(1)表面から張り出すように固定し、棚部材(3)を支える支持体(4)を固定し、基部材(1)の下部にアンカー部材(2)を固定し、基部材(1)と棚部材(3)の表面に防水塗料を塗布し、各構成部材(11,12,13)の積層面(17)に渡るように補強用ネットを張設し、下地材を防水塗料表面に補強用ネットを埋め込むように塗布し、塗布した下地材表面に色塗装して構築物本体(100)を形成し、アンカー部材(2)を基礎(101)に埋設するようにして構築物本体(100)を設置する。【選択図】図８
2011168992.tif 000002
【特許請求の範囲】
【請求項１】
合成樹脂製の発泡材料を使用し、あらかじめ決められている屋外用構築物のデザインに合うように形状を整えて形成した基部材(1)の所要位置に基部材(1)を貫通する差込口(10)が設けられており、当該差込口(10)には、差込口(10)を貫通する棚部材(3)が一方側又は双方側が前記基部材(1)表面から張り出して固定されており、基部材(1)と棚部材(3)に下地材(6)が塗布されている、
門柱、門袖、塀等の屋外用構築物。
【請求項２】
基部材(1)の下部には設置時において基礎(101)に埋設するアンカー部材(2)が取り付けられている、
請求項１記載の門柱、門袖、塀等の屋外用構築物。
【請求項３】
下地材(7)に表面仕上げ(9)をして構築物本体(100)を形成し、当該構築物本体(100)がアンカー部材(2)を基礎(101)に埋めて設置されている、
請求項２記載の門柱、門袖、塀等の屋外用構築物。
【請求項４】
合成樹脂製の発泡材料を使用し、あらかじめ決められている屋外用構築物のデザインに合うように形状を整えて基部材(1)を形成する工程、
基部材(1)の所要位置に基部材(1)を貫通する差込口(10)を設ける工程、
基部材(1)の差込口(10)に差込口(10)を貫通する棚部材(3)を、一方側又は双方側が基部材(1)表面から張り出すように固定する工程、
基部材(1)の下部に設置時において基礎に埋設するアンカー部材(2)を取り付ける工程、
基部材(1)と棚部材(3)の表面に防水塗料(5)を塗布する工程、
接着剤とセメント及び骨材を混ぜた下地材(7)を防水塗料(5)の表面に塗布する工程、
塗布した下地材(7)表面に表面仕上げ(9)をして構築物本体(100)を形成する工程、
アンカー部材(2)を基礎(101)に埋設して構築物本体(100)を設置する工程、
を含む、
門柱、門袖、塀等の屋外用構築物の施工方法。
【請求項５】
基部材(1)は、合成樹脂製の発泡材料を使用し、成形して所要数の構成部材(11,12,13)を作成し、各構成部材(11,12,13)を接合して形成し、
差込口(10)に棚部材(3)を固定した後に、棚部材(3)の張り出した部分を支える支持体(4)を棚部材(3)と基部材(1)間で固定する工程を含み、
基部材(1)と棚部材(3)の表面に防水塗料(5)を塗布した後、下地材(7)を塗布する前に、基部材(1)を構成する各構成部材(11,12,13)の積層面(17)に渡るように補強用ネット(6)を張設する工程及び接着剤とセメント及び骨材を混ぜた下地材(7)を防水塗料(5)表面に補強用ネット(6)を埋め込むように塗布する工程を含む、
請求項４記載の門柱、門袖、塀等の屋外用構築物の施工方法。
【請求項６】
下地材(7)を塗布した後、表面仕上げ(9)をする前に、下地材(7)表面に吸い込み防止のための下塗剤(8)を塗布する工程を含む、
請求項４又は５記載の門柱、門袖、塀等の屋外用構築物の施工方法。
【発明の詳細な説明】
【技術分野】
【０００１】
本発明は、門柱、門袖、塀等の屋外用構築物及びその施工方法に関するものである。更に詳しくは、簡易で軽量な構造であり、短期間で比較的容易に施工することができる門柱、門袖、塀等の屋外用構築物において、鉢植えの花や立体的な造形物を飾ったり、道具類を載せることができる等、ガーデニングを楽しむための機能性を付与した屋外用構築物及びその施工方法に関する。
【背景技術】
【０００２】
門柱、門袖、塀等、一般家屋等の建築物に付帯する屋外用構築物は、近年はニーズが多様化しており、従前のように専門の職人しか施工できないような手間の掛かるものばかりでなく、擬石等を使用して簡易で軽量な構造とすることにより、優れた外観を有すると共に施工期間の短縮と費用節減を図ったものが多く施工されるようになった。このような屋外用構築物としては、例えば特許文献１に開示されたものがある。
【０００３】
この屋外構築物は、発泡樹脂製の基体と、基体の表面に張設固定した多数の擬石と、これら擬石間に埋込み形成した目地とを備え、擬石の張設固定を、擬石にインサート設置して裏面側に突出したアンカー部材を基体に差込むことによる仮固定と、基体に対する擬石裏面の接着による接着固定によって行う門柱、門袖、塀等の屋外構築物であり、擬石が自重や移動、振動によっても剥離したり剥落したりすることなく、発泡樹脂の特性を生かした擬石の仮固定状態のまま確実且つ強固に接着固定し、擬石の接着固定を可及的に容易化するというものである。
【先行技術文献】
【特許文献】
【０００４】
【特許文献１】特開平８−１８９２７５
【発明の概要】
【発明が解決しようとする課題】
【０００５】
前記従来の屋外構築物は、発泡樹脂製の基体と多数の擬石を使用し構築することによって、構造を簡易で軽量なものとし、施工期間の短縮と費用節減を図っている。しかしながら、他方、次のような課題があった。
すなわち、例えば門柱、門袖、塀のような屋外用構築物は、外からの不審者や動物等の侵入を防ぐという本質的な機能性だけでなく、特に内面側には、例えば鉢植えの花や立体的な造形物等を飾ったり、ガーデニングに使用する道具類を載せる棚を設ける等、多くの人に親しまれているガーデニングを楽しむための何らかの機能性を有することが望まれているが、前記従来の屋外構築物には、それを実現する手段は備えていなかった。
【０００６】
（本発明の目的）
本発明は、簡易で軽量な構造であり、短期間で比較的容易に施工することができる門柱、門袖、塀等の屋外用構築物において、鉢植えの花や立体的な造形物を載せて飾ったり、ガーデニングに使用する道具を置く等、多くの人に親しまれているガーデニングを楽しむための機能性を付与した門柱、門袖、塀等の屋外用構築物及びその施工方法を提供することを目的とする。
【課題を解決するための手段】
【０００７】
上記課題を解決するために本発明が講じた手段は次のとおりである。
【０００８】
本発明は、
合成樹脂製の発泡材料を使用し、あらかじめ決められている屋外用構築物のデザインに合うように形状を整えて形成した基部材の所要位置に基部材を貫通する差込口が設けられており、当該差込口には、差込口を貫通する棚部材が一方側又は双方側が前記基部材表面から張り出して固定されており、基部材と棚部材に下地材が塗布されている、
門柱、門袖、塀等の屋外用構築物である。
【０００９】
本発明は、
基部材の下部には設置時において基礎に埋設するアンカー部材が取り付けられている、
前記門柱、門袖、塀等の屋外用構築物である。
【００１０】
本発明は、
下地材に表面仕上げをして構築物本体を形成し、当該構築物本体がアンカー部材を基礎に埋めて設置されている、
前記門柱、門袖、塀等の屋外用構築物である。
【００１１】
本発明は、
合成樹脂製の発泡材料を使用し、あらかじめ決められている屋外用構築物のデザインに合うように形状を整えて基部材を形成する工程、
基部材の所要位置に基部材を貫通する差込口を設ける工程、
基部材の差込口に差込口を貫通する棚部材を、一方側又は双方側が基部材表面から張り出すように固定する工程、
基部材の下部に設置時において基礎に埋設するアンカー部材を取り付ける工程、
基部材と棚部材の表面に防水塗料を塗布する工程、
接着剤とセメント及び骨材を混ぜた下地材を防水塗料の表面に塗布する工程、
塗布した下地材表面に表面仕上げをして構築物本体を形成する工程、
アンカー部材を基礎に埋設するようにして構築物本体を設置する工程、
を含む、
門柱、門袖、塀等の屋外用構築物の施工方法である。
【００１２】
本発明は、
基部材は、合成樹脂製の発泡材料を使用し、成形して所要数の構成部材を作成し、各構成部材を接合して形成し、
差込口に棚部材を固定した後に、棚部材の張り出した部分を支える支持体を棚部材と基部材間で固定する工程を含み、
基部材と棚部材の表面に防水塗料を塗布した後、下地材を塗布する前に、基部材を構成する各構成部材の積層面に渡るように補強用ネットを張設する工程及び接着剤とセメント及び骨材を混ぜた下地材を防水塗料表面に補強用ネットを埋め込むように塗布する工程を含む、
前記門柱、門袖、塀等の屋外用構築物の施工方法である。
【００１３】
本発明は、
下地材を塗布した後、表面仕上げをする前に、下地材表面に吸い込み防止のための下塗剤を塗布する工程を含む、
前記門柱、門袖、塀等の屋外用構築物の施工方法である。
【００１４】
表面仕上げの方法については、特に限定するものではなく、例えば色塗装の場合もあるし、タイル施工や擬石施工の場合もあり、その他各種公知手段を採用することもできる。
本明細書及び特許請求の範囲にいう「積層面」の用語は、基部材を構成する各構成部材の厚みが表れた基部材の側面の意味で使用している。
【００１５】
（作用）
本発明に係る門柱、門袖、塀等の屋外用構築物の作用を説明する。
所要箇所に設置されている屋外用構築物は、基部材(1)として合成樹脂製の発泡材料を使用し、構造も簡易であるので、軽量につくることができると共に短期間での施工が可能である。
屋外用構築物には、棚部材(3)を設けることにより、多くの人に親しまれているガーデニングを楽しむための機能性が付与されており、例えば棚部材(3)に鉢植えの花や立体的な造形物等を載せて飾ったり、ガーデニングに使用する道具等を載せて便利に使用することができる。
【００１６】
また、棚部材(3)は、基部材(1)を貫通して設けられた差込口(10)に対し差込口(10)を貫通するように、且つ一方側又は双方側が基部材(1)表面から張り出すように固定されており、例えば差込口(10)を設けずに、棚部材(3)の端面を基部材(1）表面に突き合わせるようにして接着する構造と相違して、接着面でなく棚部材(3)の強度そのもので荷重を受けるようになっているので、より強い強度を有している。これにより、棚部材(3)には比較的重いものでも載せることができるので使いやすい。
【発明の効果】
【００１７】
本発明は、簡易で軽量な構造であり、短期間で比較的容易に施工することができる門柱、門袖、塀等の屋外用構築物において、鉢植えの花や立体的な造形物を載せて飾ったり、ガーデニングに使用する道具を載せることができる棚部材を設けることによって、多くの人に親しまれているガーデニングを楽しむための機能性を付与することができる。
しかも、棚部材は、基部材を貫通して設けられた差込口に対し差込口を貫通するように、且つ一方側又は双方側が基部材表面から張り出すように固定されているので、棚部材の強度そのもので荷重を受けることができるためより強い強度を有し、比較的重いものでも載せることができるので使いやすい。
【図面の簡単な説明】
【００１８】
【図１】本発明に係る屋外用構築物の製造方法を示し、構成部材と棚板及び支持体を表した説明図。
【図２】各構成部材を積層して接着し、基部材を形成した状態の説明図。
【図３】基部材に差込口を形成した状態の説明図。
【図４】基部材の差込口に棚部材と支持体を取り付けた状態を示す説明図。
【図５】表面に防水塗料を塗布し、基部材の各構成部材の積層面に補強用ネットを張設した状態の説明図。
【図６】下地材を防水塗料表面に補強用ネットを埋め込むように塗布した状態の説明図。
【図７】塗布した下地材表面に表面仕上げをして門柱本体を形成した状態の説明図。
【図８】アンカー部材を基礎に埋設するようにして門柱本体を設置した状態の説明図。
【発明を実施するための形態】
【００１９】
本発明を図面に示した実施の形態に基づき詳細に説明する。
【実施例】
【００２０】
図１乃至図８（主に図７（ｂ）、図８）を参照して本発明に係る屋外用構築物である門柱構築物Ａの構造を説明する。
【００２１】
門柱構築物Ａは、門柱本体１００と地面に施工されている基礎１０１からなる。門柱本体１００は、三枚の板体を積層した形状の基部材１を有している。基部材１の底部は平面となるように揃えてあり、上部は高さを順に違えてそれぞれが波形に形成されている。
基部材１の底面の四隅には、鉄筋でＬ字状に形成されたアンカー部材２が取り付けられている。各アンカー部材２は、基部側が基部材１に埋め込まれ、先部側が基部材１の底面と平行に横方向へ張り出している。
【００２２】
基部材１の二箇所には、棚部材３が固定されている。各棚部材３は、基部材１に表裏面を貫通して設けられており口部の形状が長方形状の差込口１０に、両側が基部材１の表裏面から張り出すように差し込んで差込口１０に接着し水平（基部材１の表裏面と直角）に固定されている。また、各棚部材３の下側には、基部材１との間で各棚部材３を支える板状の支持体４がそれぞれ両側二箇所に固定されている。
【００２３】
基部材１と各棚部材３の外表面には、色塗装が施されている。色塗装の下層には、防水剤や下地材、下塗剤等の所要の機能性を有する層が塗布されている。これにより、門柱本体１００が形成されている。そして、門柱本体１００は、図８に示すように、基部材１の下部側の一部が基礎１０１に埋設するように、且つ各アンカー部材２の先部側が基礎１０１の内部で基部材１から張り出すようにして固定され、これにより門柱構築物Ａが設置されている。
【００２４】
（作用）
前記門柱構築物Ａを施工する方法（工程、手順）を詳細に説明する。なお、以下の説明では、構成部材１１、１２、１３又はそれらで構成される基部材１に接着剤や下地等が塗布されるので、厳密にいえば前記各部材は表面にあらわれなくなるが、説明の便宜上、図面の符号を含め接着剤や下地等が塗布されていることを無視して説明する場合がある。
【００２５】
（１）合成樹脂製の発泡材料であるポリスチレンフォーム板１０２を適宜カットして、あらかじめ決められているデザインに沿うように形状を整えて、板状の構成部材１１、１２、１３を作成する。また、棚部材３、支持体４もポリスチレンフォームを適宜カットして作成してある（図１参照）。なお、棚部材３及び支持体４については、強度をさらに高めるため、木や金属或いはプラスチック等、他の材料を採用することもできる。
【００２６】
（２）構成部材１１、１２、１３を接着剤（例えば１液型変性シリコーン系接着剤）によって接着して積層し、これにより基部材１を形成する。構成部材１１、１２、１３の上部は、それぞれが波形に形成されており、積層時には上部の高さを順に違えてあり、これによりデザイン性を高めている（図２参照）。
【００２７】
（３）構成部材１１、１２、１３を積層した基部材１の二箇所に、基部材１の表裏面１５、１６を貫通した横長の長方形状の差込口１０を形成する。各差込口１０の方向は、基部材１の底面１９と平行、すなわち水平方向である（図３参照）。
【００２８】
（４）基部材１の底面１９の四隅にドリルで下穴１４を開ける（図３参照）。そして、鉄筋をあらかじめ「Ｌ」型（本実施例では、太さ１０ｍｍ、縦（基部）：４００ｍｍ、横（先部）：３００ｍｍ）に曲げてアンカー部材２を形成しておき、基部を下穴１４に差し込み（図４参照）、下穴１４とアンカー部材２基部の空間に発泡ウレタン（例えばスプレー式１液型簡易発泡ウレタンフォーム）を注入する。この発泡ウレタンの固化により各アンカー部材２は固定される。
【００２９】
（５）基部材１の各差込口１０に長方形の板状の棚部材３を差し込み、棚部材３の両側が基部材１の表面から同じ幅だけ張り出すようにする。そして、各棚部材３を各差込口１０との接触面に接着剤を入れて接着し固定する。さらに、各棚部材３の下側に、基部材１との間で各棚部材３を支える板状の支持体４をそれぞれ両側二箇所に接着し固定する（図４参照）。
【００３０】
（６）基部材１と各棚部材３の表面に防水剤（例えば弱カチオン系１液型アクリル特殊変性アスファルトエマルジョン）を塗布し防水層５を形成する（図５参照）。
（７）防水層５を設けた基部材１の両側には、表面１５から裏面１６にかけて積層面１７（底面１９を含む）の底部側の一部を覆うように補強用ネット６が接着剤で張設されている（図５参照）。補強用ネット６はアンカー部材２を固定した部分を補強するものであり、本実施例では底部側の一部に設けられているが、これに限定されるものではなく、積層面１７の他の部分を覆うように張設してもよい。
【００３１】
（８）補強用ネット６を埋め込むように、その上から接着剤を塗り込み、さらに接着剤とセメント（骨材入り）を混練したものを全体に二層塗りして下地層７を形成する（図６参照）。
（９）下地層７の表面に吸い込み防止のための下塗剤を塗布して下塗層８を形成し、さらにその表面に色塗装をして色層９を形成し、これにより、屋外用構築物である門柱本体１００を形成する（図７（ａ）、（ｂ）参照）。なお、屋外用構築物としては、門柱本体１００からアンカー部材２を除いた形態又は色層９を除いた形態或いはその両方を除いた形態等の門柱本体１００とは異なる形態も含まれる。この場合は、必要に応じて施工時にそれらを付加することになる。
【００３２】
（１０）門柱本体１００を、各アンカー部材２を基礎１０１に埋設するようにして固定する。このとき、基部材１の下部側の一部が基礎１０１に埋設するように、且つ各アンカー部材２の先部側が基礎１０１の内部で施工面と平行になるようにして固定され、これにより門柱構築物Ａが形成される（図８参照）。
【００３３】
このようにして施工された門柱構築物Ａは、鉢植えの花や立体的な造形物を載せて飾ったり、ガーデニングに使用する道具を載せることができる棚部材３を設けることによって、多くの人に親しまれているガーデニングを楽しむための機能性を有している。
しかも、各棚部材３は、基部材１を貫通して設けられた差込口１０に対し差込口１０を貫通するように、且つ一方側又は双方側が基部材１の表裏面１５、１６から張り出すように固定されているので、棚部材３の強度そのもので荷重を受けるようになっている。これにより、例えば差込口１０を設けずに、各棚部材３の端面を基部材１表面に突き合わせるようにして接着する構造と相違して、より強い強度を有しており、比較的重いものでも載せることができるので使いやすい。
【００３４】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００３５】
Ａ  門柱構築物
１００  門柱本体
１０１  基礎
１０２  ポリスチレンフォーム板
１  基部材
１０  差込口
１１、１２、１３  構成部材
１４  下穴
１５  表面
１６  裏面
１７  積層面
１９  底面
２  アンカー部材
３  棚部材
４  支持体
５  防水層
６  補強用ネット
７  下地層
８  下塗層
９  色層
【図１】
2011168992.tif 000003
【図２】
2011168992.tif 000004
【図３】
2011168992.tif 000005
【図４】
2011168992.tif 000006
【図５】
2011168992.tif 000007
【図６】
2011168992.tif 000008
【図７】
2011168992.tif 000009
【図８】
2011168992.tif 000010